(57)【特許請求の範囲】
【請求項１】
立設した１本の支柱の側面の異なる中心角位置に複数の係止孔を形成し、ブラケットの基端のフックを前記係止孔に着脱可能に装着し、異なる方向を向いた一対の前記ブラケットの先端部に係止バーの両端部をそれぞれ連結してなる陳列什器であって、前記係止バーの両端面に螺孔を形成するとともに、前記ブラケットの先端部に少なくとも前記フックを係止孔に着脱する際にブラケットの移動を許容する最低長さを有する横長孔を形成し、該横長孔に挿通し且つ前記螺孔に螺合する螺軸の一端に前記係止バーの断面外形状より少なくとも大きい部分を有する回転操作部を固定した締着具にて前記係止バーの端部にブラケットの先端部を連結してなることを特徴とする陳列什器。
【請求項２】
前記係止バーが環状部材を長手方向に複数に分割したものであり、異なる係止バーの端部に連結したブラケットを並列状態で前記支柱に装着できるように、前記支柱の側面の同一方向に開口した二列の係止孔を形成してなる請求項１記載の陳列什器。
【請求項３】
前記支柱が断面正方形であり、各側面に二列の係止孔を上下方向へ一定間隔毎に形成するとともに、前記係止バーが環状部材を２分割又は４分割したものである請求項１又は２記載の陳列什器。
【請求項４】
前記係止バーが環状部材を２分割したものであり、該係止バーの両端部に前記ブラケットを連結するとともに、該係止バーの中間部に補助ブラケットの先端部を固着し、該補助ブラケットの基端に形成したフックを前記係止孔に嵌合係止してなる請求項３記載の陳列什器。
【請求項５】
前記係止バーが環状部材を長手方向に複数に分割したものであり、全ての係止バーを同一高さに装着して一連の環状係止バーを形成し、若しくは少なくとも一つの係止バーの高さを他の係止バーの高さと違えて装着してなる請求項１記載の陳列什器。
【発明の詳細な説明】
【０００１】
【発明の属する技術分野】
本発明は、陳列什器に係わり、更に詳しくはハンガーに掛けた衣服あるいはフックを有する商品を陳列するための陳列什器に関するものである。
【０００２】
【従来の技術】
従来、ハンガーに掛けた衣服あるいはフックを有する商品を陳列するための陳列什器は各種提供されている。例えば、両側に立設した支柱間に係止バーを渡設し、該係止バーにハンガーのフックを係止して衣服等の商品を陳列するものがある。また、高さの異なる衣服等の商品を係止できるように、複数の係止バーの高さを違えたものも存在する。
【０００３】
しかし、従来の陳列什器の係止バーは、直線状のものが殆どであり、商品を陳列する形態も各商品が重なるように配列される形態に一義的に決定され、陳列形態に目新しさがなく、例え優れた斬新な商品であってもそれに見合う陳列形態を実現できなかった。また、直線状に衣服を陳列する場合には、衣服が接近して重なるので、各衣服の袖部分が見えるのみで、胴部のデザインを確認するためには、邪魔になる衣服を手で避けなければならないといった商品陳列としては致命的な欠点もある。
【０００４】
【発明が解決しようとする課題】
本発明が前述の状況に鑑み、解決しようとするところは、衣服等の商品を複数並べて陳列する場合、各商品が密接して互いに重なることなく、特に衣服の場合には胴部のデザインを側方から容易に視認できるような立体的な陳列形態を実現することが可能な陳列什器を提供する点にある。
【０００５】
【課題を解決するための手段】
本発明は、前述の課題解決のために、立設した１本の支柱の側面の異なる中心角位置に複数の係止孔を形成し、ブラケットの基端のフックを前記係止孔に着脱可能に装着し、異なる方向を向いた一対の前記ブラケットの先端部に係止バーの両端部をそれぞれ連結してなる陳列什器であって、前記係止バーの両端面に螺孔を形成するとともに、前記ブラケットの先端部に少なくとも前記フックを係止孔に着脱する際にブラケットの移動を許容する最低長さを有する横長孔を形成し、該横長孔に挿通し且つ前記螺孔に螺合する螺軸の一端に前記係止バーの断面外形状より少なくとも大きい部分を有する回転操作部を固定した締着具にて前記係止バーの端部にブラケットの先端部を連結してなる陳列什器を構成した。
【０００６】
ここで、前記係止バーが環状部材を長手方向に複数に分割したものであり、異なる係止バーの端部に連結したブラケットを並列状態で前記支柱に装着できるように、前記支柱の側面の同一方向に開口した二列の係止孔を形成してなることが好ましい。
【０００７】
また、前記支柱が断面正方形であり、各側面に二列の係止孔を上下方向へ一定間隔毎に形成するとともに、前記係止バーが環状部材を２分割又は４分割したものであることがより好ましい。
【０００８】
この場合、前記係止バーが環状部材を２分割したものであり、該係止バーの両端部に前記ブラケットを連結するとともに、該係止バーの中間部に補助ブラケットの先端部を固着し、該補助ブラケットの基端に形成したフックを前記係止孔に嵌合係止してなることが好ましい。
【０００９】
また、前記係止バーが環状部材を長手方向に複数に分割したものであり、全ての係止バーを同一高さに装着して一連の環状係止バーを形成し、若しくは少なくとも一つの係止バーの高さを他の係止バーの高さと違えて装着してなることも好ましい。
【００１０】
【発明の実施の形態】
次に本発明の実施の形態を添付図面に基づき更に詳細に説明する。図１〜図６は本発明に係る陳列什器の代表的実施形態を示し、図中符号１は支柱、２はブラケット、３は係止バー、４は締着具、５は補助ブラケットをそれぞれ示している。
【００１１】
本発明に係る陳列什器は、立設した１本の支柱１の側面６，…の異なる中心角位置に複数の係止孔７，…を形成し、ブラケット２の基端のフック８を前記係止孔７に着脱可能に装着し、異なる方向を向いた一対の前記ブラケット２，２の先端部に係止バー３の両端部を締着具４にてそれぞれ連結してなるものである。
【００１２】
更に詳しくは、図２及び図３に示すように、前記係止バー３は、丸パイプを円弧状に屈曲した両端部に閉塞板９，９を固定し、該閉塞板９の中心に螺孔１０を形成したものである。ここで、前記係止バー３は、中実の棒部材を屈曲して形成しても良く、その場合には両端面に直接前記螺孔１０を形成する。尚、前記係止バー３の断面外形状は、円形に限定されないが、円形が望ましい。
【００１３】
また、前記ブラケット２は、板状の部材であり、基端部に前記フック８，８を上下に形成するとともに、その先端部に少なくとも前記フック８を係止孔７に着脱する際にブラケット２の移動を許容する最低長さを有する横長孔１１を形成したものである。本実施形態のブラケット２は、前記フック８，８を設けた基端側部分１２の上縁を略水平となし、前記横長孔１１を設けた先端側部分１３を中央部から上方へ傾斜して立ち上げた側面視形状を有している。
【００１４】
また、前記締着具４は、前記横長孔１１に挿通し且つ前記螺孔１０に螺合する螺軸１４の一端に前記係止バー３の断面外形状より少なくとも大きい部分を有する回転操作部１５を固定したものである。ここで、前記回転操作部１５は扁平な板材であり、前記係止バー３の断面外形状が円形である場合には、該回転操作部１５も係止バー３の直径よりも大きな直径の円板であることが望ましい。更に、前記回転操作部１５の外周には、滑り止めの小さな溝、凹凸からなる滑り止め部１５Ａを形成している。尚、前記ブラケット２の前記横長孔１１を設けた先端部の幅は、前記回転操作部１５の外形よりも小さく、好ましくは前記係止バー３の直径に略一致させる。
【００１５】
そして、前記ブラケット２の横長孔１１に前記締着具４の螺軸１４を挿通し、該螺軸１４を前記係止バー３の端面に設けた螺孔１０に緩く螺合した状態で、当該ブラケット２の基端部のフック８を前記支柱１の所定の係止孔７に嵌合係止する。この際、前記横長孔１１内で螺軸１４が相対的に変移可能、即ちブラケット２と係止バー３とは相対的に変移可能であるので、係止孔７にフック８を側方から挿入して落し込み係合させる作業が容易である。そして、最後に前記締着具４の回転操作部１５の外周部を手で持って回転させて、前記螺軸１４を螺孔１０に強く螺合し、係止バー３の端面と回転操作部１５とでブラケット２の先端部を挟持して連結するのである。
【００１６】
本実施形態では、図１に示すように、同一平面状に複数の前記係止バー３，…を配置した際に、一連の環状係止バーが形成されるように構成している。言い換えれば、前記係止バー３が環状部材を長手方向に複数に分割したものである。そして、異なる係止バー３の端部に連結したブラケット２，２を並列状態で前記支柱１に装着できるように、前記支柱１の側面６の同一方向に開口した二列の係止孔７，…を形成している。
【００１７】
具体的には、前記支柱１が断面正方形であり、各側面６，…にそれぞれ二列の係止孔７，…を上下方向へ一定間隔毎に形成するとともに、前記係止バー３として環状部材を２分割したものである。前記各側面６の一側の列の係止孔７，…の所定高さに一方の係止バー３の端部に連結したブラケット２のフック８，８を嵌合係止し、他側の列の係止孔７，…の所定高さに他方の係止バー３の端部に連結したブラケット２のフック８，８を嵌合係止し、両係止バー３，３が同一高さの場合に、両ブラケット２，２が平行に配置する。このとき、前記ブラケット２と係止バー３を連結する締着具４は、左右に隣接した位置にあるが、それぞれの回転操作部１５，１５の間には若干の隙間が生じるように設定している。
【００１８】
更に、前記係止バー３の両端部をブラケット２，２で保持するだけでは強度的に不足するので、前記係止バー３の中間部に補助ブラケット５，５の先端部を固着し、該補助ブラケット５，５の基端に形成したフック１６，１６を前記係止孔７，７に嵌合係止するようにしている。本実施形態では、側面視形状が前記ブラケット２と共通する形状の二枚の補助ブラケット５，５を平行に配置し、その先端部を係止バー３の中間部に溶接して固定しているが、一枚の補助ブラケット５でも良く、また係止バー３と溶接する代わりに、補助ブラケット５の先端部に嵌合部を設けて該係止バー３の中間部を載支することも可能である。二枚の補助ブラケット５，５を平行に配置すると、図１に示すように両係止バー３，３を同一高さに設定したときに、隣接するブラケット２，２と外観的に統一性が保たれるので好ましい。
【００１９】
このように、前記補助ブラケット５，５を係止バー３の中間部に固着した場合に、前記支柱１に該係止バー３を装着するには、先ず係止バー３の両端部に前記同様にブラケット２，２をそれぞれ緩く取付けておき、それから補助ブラケット５，５のフック１６，１６を支柱１の一側面６の係止孔７，７に嵌合係止する。この状態で、係止バー３から手を離しても落下することはなく、前記同様に各ブラケット２を回転させながら横長孔１１内で螺軸１４を変位させてフック８，８を隣接する側面６の係止孔７，７に嵌合係止し、最後に締着具４を締付けるのである。他方の係止バー３も同様に支柱１に取付けるが、両係止バー３，３を同一高さに取付けることも、図５に示すように高さを違えて取付けることができる。この場合、ハンガーに係止した高さの異なる衣服等の商品を各係止バー３，３に分けて陳列することができる。
【００２０】
本実施形態では、前記係止バー３を円弧状としたので、該係止バー３に衣服を吊下げた場合には、各衣服が放射状に陳列され、外側の衣服間隔が広がるので、側方から内部まで覗くことができ、それによって衣服の胴部デザインを困難なく視認することができる。
【００２１】
また、図６に示したものは、前記係止バー３が１／４円弧のものであり、言い換えれば環状部材を４分割して形成したものである。この場合は、各係止バー３の両端部をブラケット２，２で保持するだけで十分な強度を有するので、前述のような補助ブラケット５を使用しない。また、前記係止バー３の両端部に連結したブラケット２，２は９０度の角度に配置されるので、前記支柱１のコーナーに隣接した二面の側面６，６の最近接した二列の係止孔７，…を利用して装着する。勿論、図示したように、各係止バー３，…の高さをそれぞれ違えて支柱１に装着することも、同一高さで装着することも可能である。
【００２２】
更に、本実施形態の陳列什器は、前記支柱１の高さを調節できるように構成している。それには、平面視Ｈ字型のベース１７の中央部に支持杆１８を立設し、該支持杆１８を前記支柱１の下部にスライド可能に内嵌するとともに、支柱１の一側面６の外側から螺合した調節ネジ１９を支持杆１８の対応する側面に上下方向に一定間隔毎に形成した係合孔２０，…の内の何れかに嵌入する。例えば、最も支柱１の高さを高くした場合、支柱１の上端までの高さは約１５０ｃｍとするのが実用的である。また、前記支柱の上端には、円形の載置台２１を取付けるとともに、その中心部に商品ブランドや価格等を表示する表示部２２を突設している。また、図示しないが、各係止バー３，…を同一高さに装着した状態で、前記ブラケット２，…と補助ブラケット５，…とで中央部が凹んだ受け部が形成されるので、この部分に前記支柱１を貫通させた円形のバスケット等を載置することも可能である。
【００２３】
また、図４に示すように、前記ブラケット２は、中央部で屈曲しているので、フック８を係止孔７から外して自由に吊り下げた状態では、フック８を含む基端部が係止バー３の外側に突出することがないので、作業中に邪魔にならないのである。
【００２４】
図７及び図８は、前記ブラケット２及び補助ブラケット５の側面視形状が異なるものであり、先端部のみが上方へ急角度で傾斜した形状である。尚、前記支柱１はベース１７に直接立設し、その高さは固定としている。その他の構成は前記同様であるので、同一構成には同一符号を付してその説明は省略する。
【００２５】
本実施形態では、前記各係止バー３，…を同一高さに装着した場合に、円形の環状になる形状としたが、多角形の環状になる場合も勿論可能である。
【００２６】
【発明の効果】
以上にしてなる請求項１に係る発明の陳列什器は、立設した１本の支柱の側面の異なる中心角位置に複数の係止孔を形成し、ブラケットの基端のフックを前記係止孔に着脱可能に装着し、異なる方向を向いた一対の前記ブラケットの先端部に係止バーの両端部をそれぞれ連結してなる陳列什器であって、前記係止バーの両端面に螺孔を形成するとともに、前記ブラケットの先端部に少なくとも前記フックを係止孔に着脱する際にブラケットの移動を許容する最低長さを有する横長孔を形成し、該横長孔に挿通し且つ前記螺孔に螺合する螺軸の一端に前記係止バーの断面外形状より少なくとも大きい部分を有する回転操作部を固定した締着具にて前記係止バーの端部にブラケットの先端部を連結してなるので、支柱にブラケットを介して係止バーを装着する作業が簡単であるとともに、全ての係止バーを同じ高さに装着することが可能となり、また分解も容易である。そして、この陳列什器により、衣服等の商品を複数並べて陳列する場合、各商品が密接して互いに重なることなく、特に衣服の場合には胴部のデザインを側方から容易に視認できるような立体的な陳列形態を実現することができ、商品陳列効果を高めることが可能である。
【００２７】
請求項２によれば、複数の係止バーを組合わせて環状係止バーを構成することができ、また分割された係止バーを支柱へ装着する作業が容易になる。
【００２８】
請求項３によれば、各係止バーの高さを違えて支柱に装着することができ、それにより上下高さの異なる商品、丈の異なる衣服等を同じ陳列什器で目の高さに近いところに陳列することができる。
【００２９】
請求項４によれば、補助ブラケットによって係止バーの支持強度を高めることができるとともに、係止バーの支柱への装着作業が簡単になり、１人で組立てることができる。
【００３０】
請求項５によれば、衣服等の商品を複数並べて陳列する場合、各商品が密接して互いに重なることなく、特に衣服の場合には胴部のデザインを側方から容易に視認できるような立体的な陳列形態を実現することができ、商品陳列効果を高めることが可能である。
【図面の簡単な説明】
【図１】本発明に係る陳列什器の代表的実施形態を示す全体斜視図である。
【図２】同じく分解斜視図である。
【図３】本発明の要部を示す部分断面図である。
【図４】ブラケットを支柱に着脱する場合の部分側面図である。
【図５】二分割の係止バーの高さを違えて支柱に装着した場合の全体斜視図である。
【図６】四分割の係止バーの高さを違えて支柱に装着した場合の全体斜視図である。
【図７】本発明の陳列什器の変形例を示す全体斜視図である。
【図８】同じく二分割の係止バーの高さを違えて支柱に装着した場合の全体斜視図である。
【符号の説明】
１  支柱              ２  ブラケット
３  係止バー          ４  締着具
５  補助ブラケット    ６  側面
７  係止孔            ８  フック
９  閉塞板            １０  螺孔
１１  横長孔          １２  基端側部分
１３  先端側部分      １４  螺軸
１５  回転操作部      １５Ａ  滑り止め部
１６  フック          １７  ベース
１８  支持杆          １９  調節ネジ
２０  係合孔          ２１  載置台
２２  表示部
【図１】
0003801042.tif 000002
【図２】
0003801042.tif 000003
【図３】
0003801042.tif 000004
【図４】
0003801042.tif 000005
【図５】
0003801042.tif 000006
【図６】
0003801042.tif 000007
【図７】
0003801042.tif 000008
【図８】
0003801042.tif 000009